(57)【要約】【課題】ユーザによる画像形成装置の使用形態に合わせて、画像形成装置のトナー残量に関する通知を視覚的に行うタイミングを任意に調整可能とする。【解決手段】画像形成装置１００は、画像形成部１と、表示部３３と、トナー残量算出部３１１と、閾値設定部３２と、表示制御部３１３と、を備える。画像形成部１は、画像を印刷する。表示部３３は、ユーザに視覚情報を与える表示画面を表示する。トナー残量算出部は３１１、トナーカートリッジ１４中に残留するトナーのトナー残量を算出する。閾値設定部３２は、トナー残量が画像形成部１により画像を形成するのに十分な量であるかどうかを決定する閾値を設定する。表示制御部３１３は、トナー残量と閾値との比較結果に基づいて、表示画面の表示状態を決定する。【選択図】図３Ａ
2016114747.tif 000002
【特許請求の範囲】
【請求項１】
画像を印刷したい表面上にトナーカートリッジから供給されたトナーを定着させることにより前記画像を前記表面上に印刷する画像形成部と、
ユーザに視覚情報を与える表示画面を表示する表示部と、
前記トナーカートリッジ中に残留する前記トナーのトナー残量を算出するトナー残量算出部と、
前記トナー残量が前記画像形成部により前記画像を前記表面上に形成するのに十分な量であるかどうかを決定する閾値を設定する閾値設定部と、
前記トナー残量と前記閾値との比較結果に基づいて、前記表示部における前記表示画面の表示状態を決定する表示制御部と、
を備える画像形成装置。
【請求項２】
前記閾値設定部は入力操作により前記閾値を設定する操作部を含む、請求項１に記載の画像形成装置。
【請求項３】
前記表示制御部は、前記トナー残量と前記閾値との比較結果に基づいて、前記トナー残量を前記表示画面に表示するか又は表示しないかを決定する、請求項１又は２に記載の画像形成装置。
【請求項４】
前記表示制御部は、前記トナー残量と前記閾値との比較結果に基づいて、前記トナー残量の前記表示画面における表示面積を決定する、請求項１〜３のいずれかに記載の画像形成装置。
【請求項５】
前記表示制御部は、前記トナー残量と前記閾値との比較結果に基づいて、前記トナー残量の前記表示画面における表示色を決定する、請求項１〜４のいずれかに記載の画像形成装置。
【請求項６】
前記表示画面は動作待機中を視覚的に示す待機画面を含む、請求項１〜５のいずれかに記載の画像形成装置。
【請求項７】
前記表示制御部は、現在実行中の動作に基づいて、前記表示画面に前記トナー残量を表示するかどうかを決定する、請求項１〜６のいずれかに記載の画像形成装置。
【発明の詳細な説明】
【技術分野】
【０００１】
本発明は、トナーカートリッジから供給されたトナーを、画像を印刷したい表面上に定着させることにより、当該表面上に画像を印刷する画像形成装置に関する。
【背景技術】
【０００２】
従来、消耗品であるトナーやインクなどを用紙などの表面上に定着させることにより画像を印刷する画像形成装置が知られている。従来の画像形成装置においては、画像形成装置にて用いられる消耗品の残量が少なくなったときには警告が発生される。
例えば、特許文献１には、プリンタ部のインクカートリッジの有無をインク残量センサにより検出し、インクカートリッジのインクがないと判断された場合に「インクなし」のエラー表示をＬＣＤに表示する処理を行う画像形成装置が開示されている。
【先行技術文献】
【特許文献】
【０００３】
【特許文献１】特開２００８−９２２２１号公報
【発明の概要】
【発明が解決しようとする課題】
【０００４】
従来の画像形成装置においては、ユーザは、「インクなし」とのエラー表示などの警告を表示するタイミングを変更することができない。なぜなら、インク残量センサは、インクカートリッジなどの所定の位置に固定され、ユーザにより調整可能となっていないからである。また、インク残量センサの取り付け個数はインクカートリッジのサイズなどにより制約を受けるため、インク残量センサにより検出できるインク残量数は制限される。
さらに、従来の画像形成装置においては、インクカートリッジなどのインクの残量がほとんどない（ニアエンプティ）状態の時に「インクなし」とのエラー表示が成されるようにインク残量センサが設置されている。この場合、ユーザによる画像形成装置の使用形態によっては、「インクなし」とのエラー表示を行うタイミングが早すぎるか又は遅すぎることがある。
【０００５】
例えば、画像形成装置において、紙面などにインクを多く定着させる必要がある画像（写真など）を頻繁に印刷するような場合には、「インクなし」とのエラー表示が遅すぎることがある。その結果、画像を紙面などに印刷中に印刷動作が停止することがある。
一方、例えば、画像形成装置において印刷を行う頻度が高くない場合や、紙面などにインクを多く定着させない文字などを少ない枚数だけ印刷する場合などは、「インクなし」とのエラー表示が早すぎることがある。その結果、上記のような使用形態のユーザにとっては、インクカートリッジなどを交換しなくてもよいタイミングにてインクカートリッジを交換するといった無駄が生じる。トナーを用いる電子写真方式の画像形成装置においても、同様の問題が発生している。
【０００６】
本発明の課題は、ユーザによる画像形成装置の使用形態に合わせて、画像形成装置のトナー残量に関する通知を視覚的に行うタイミングを任意に調整可能とすることにある。
【課題を解決するための手段】
【０００７】
以下に、課題を解決するための手段として複数の態様を説明する。これら態様は、必要に応じて任意に組み合せることができる。
本発明の一見地に係る画像形成装置は、画像形成部と、表示部と、トナー残量算出部と、閾値設定部と、表示制御部と、を備える。
画像形成部は、画像を印刷したい表面上にトナーを定着させることにより、当該画像を当該表面上に印刷する。トナーは、トナーカートリッジから供給される。表示部は、ユーザに視覚情報を与える表示画面を表示する。トナー残量算出部は、トナーカートリッジ中に残留するトナーのトナー残量を算出する。
【０００８】
閾値設定部は、閾値を設定する。閾値は、トナー残量が画像形成部により画像を表面上に形成するのに十分な量であるかどうかを決定する値である。表示制御部は、トナー残量と閾値との比較結果に基づいて、表示画面の表示状態を決定する。
【０００９】
上記の画像形成装置においては、閾値設定部において閾値が設定される。その後、画像形成部により画像を印刷したい表面上に画像が形成された（印刷された）際に、トナー残量算出部が、トナーカートリッジに残っているトナーの量（すなわち、トナー残量）を算出する。次に、表示制御部が、トナー残量算出部にて算出したトナー残量と閾値設定部にて設定された閾値とを比較した結果に基づいて、表示画面の表示状態を決定する。この結果、表示部は、表示制御部により決定された表示状態にて表示画面を表示する。
【００１０】
上記の画像形成装置においては、トナー残量がトナー残量算出部により算出されている。つまり、トナー残量算出部は、トナー残量を検出するセンサを用いてトナー残量を検出するのではなく、所定の理論式を用いてトナー残量を算出している。これにより、センサの取付位置や個数などの制限を受けることなく、任意のトナー残量を算出できる。
【００１１】
また、上記の画像形成装置においては、現在のトナーの残量が画像を印刷するために十分な量であるかどうかを決定する閾値を、閾値設定部により任意に設定可能となっている。さらに、表示制御部が、トナー残量と閾値との比較結果に基づいて、表示部における表示画面の表示状態を決定している。
【００１２】
上記のように、任意のトナー残量を算出可能とし、かつ、トナー残量が十分な量であるかどうかを判断する閾値を任意に設定可能とすることにより、ユーザによる画像形成装置の使用形態に合わせて、トナー残量に関する通知を視覚的に行うタイミングを任意に調整できる。
【００１３】
閾値設定部は、操作部を含んでいてもよい。操作部は、入力操作により閾値を設定する。これにより、画像形成装置において入力操作により閾値を設定できる。
【００１４】
表示制御部は、トナー残量と閾値との比較結果に基づいて、トナー残量を表示画面に表示するか又は表示しないかを決定してもよい。これにより、トナー残量に関する通知を行いたいときに具体的なトナー残量を表示画面に表示できる。
【００１５】
表示制御部は、トナー残量と閾値との比較結果に基づいて、トナー残量の表示画面における表示面積を決定してもよい。これにより、トナー残量に関する通知を行いたいときに視覚的に目立つようにトナー残量を表示できる。
【００１６】
表示制御部は、トナー残量と閾値との比較結果に基づいて、トナー残量の表示画面における表示色を決定してもよい。これにより、トナー残量に関する通知を行いたいときに視覚的に目立つようにトナー残量を表示できる。
【００１７】
表示画面は、待機画面を含んでいてもよい。待機画面は、動作待機中を視覚的に示す表示画面である。これにより、動作待機中であってもトナー残量に関する通知を視覚的に行える。
【００１８】
表示制御部は、現在実行中の動作に基づいて、表示画面にトナー残量を表示するかどうかを決定してもよい。これにより、画像形成装置において実行中の動作に応じて、必要な場合にトナー残量を表示できる。
【発明の効果】
【００１９】
ユーザによる画像形成装置の使用形態に合わせて、画像形成装置のトナー残量に関する通知を視覚的に行うタイミングを任意に調整できる。
【図面の簡単な説明】
【００２０】
【図１】画像形成装置の全体構成を示す図。
【図２】制御部の構成を示す図。
【図３Ａ】画像形成装置の閾値の設定動作を示すフローチャート。
【図３Ｂ】画像形成装置の印刷動作を示すフローチャート。
【図４Ａ】トナー残量を強調表示するかしないかを、トナー残量を表示するかしないかにより行っている待機画面の表示状態の一例を示す図。
【図４Ｂ】トナー残量を強調表示するかしないかを、トナー残量を表示するか他の情報を表示するかにより行っている待機画面の表示状態の一例を示す図。
【図４Ｃ】トナー残量を強調表示するかしないかを、トナー残量の表示の大きさを異ならせることにより行っている待機画面の表示状態の一例を示す図。
【図４Ｄ】トナー残量を強調表示するかしないかを、トナー残量の表示色を異ならせることにより行っている待機画面の表示状態の一例を示す図。
【図４Ｅ】トナー残量を強調表示するかしないかを、トナー残量の表示を反転させるかどうかにより行っている待機画面の表示状態の一例を示す図。
【発明を実施するための形態】
【００２１】
１．第１実施形態
（１）画像形成装置の全体構成
第１実施形態に係る画像形成装置１００の全体構成について、図１を用いて説明する。図１は、画像形成装置の全体構成を示す図である。図１に示す画像形成装置１００は、印刷物の印刷濃度を調整可能な電子写真方式を用いた画像形成装置である。また、本実施形態における画像形成装置１００は、主に、白黒（モノクローム）印刷を行うものである。
画像形成装置１００は、画像形成部１と制御部３とを備える。
画像形成部１は、紙面などの画像を印刷したい表面上に、トナーカートリッジ１４（後述）から供給されたトナーを定着させることにより、印刷したい画像を紙面上などに印刷する。制御部３は、画像形成部１を制御する。以下、画像形成部１及び制御部３の詳細について説明する。
【００２２】
（２）画像形成部の構成
まず、画像形成部１の構成について、図１を用いて説明する。画像形成部１は、帯電工程と、露光工程と、現像工程と、転写工程と、定着工程と、の５つの工程により（すなわち、電子写真方式により）、紙面上などにトナーを定着させて、印刷したい画像を紙面上などに形成（印刷）する。従って、画像形成部１は、感光ドラム１１と、帯電部１２と、露光部１３と、トナーカートリッジ１４と、転写部１５と、定着部１６と、クリーニング部１７と、を有する。
【００２３】
感光ドラム１１は、印刷したい画像の静電潜像を形成し、静電潜像の電位に応じたトナーを静電気力により表面に保持する。帯電部１２は、感光ドラム１１の表面を帯電（図１の例では負の極性に帯電）する。帯電部１２としては、例えば、コロナ放電を用いた帯電装置を用いることができる。
露光部１３は、感光ドラム１１に光を照射して、感光ドラム１１の表面の電位を調整する。露光部１３は、例えば、照射する光の量は一定とした状態にて、露光時間を調整して露光量を調整する。露光部１３としては、例えば、複数のＬＥＤ（光源）を主走査方向に一列にアレイ状に整列したプリンタヘッド（ＬＰＨ、ＬＥＤ  Ｐｒｉｎｔ  Ｈｅａｄ）を用いることができる。
【００２４】
トナーカートリッジ１４は、感光ドラム１１の表面にトナーを供給する。トナーカートリッジ１４から供給されるトナーは、例えば、感光ドラム１１に帯電される電荷と同じ極性の静電気を帯びており、感光ドラム１１の表面の電位の高い箇所においてはトナーの付着量は少なく、電位が低い箇所においてはトナーの付着量が多くなる。その結果、画像を紙面上に印刷した場合、露光量が少なくトナーの付着量が少ない箇所は（見た目上）印刷濃度が低くなり、露光量が多くトナーの付着量が多い箇所は印刷濃度が高くなる。
転写部１５では、トナーが帯びている電荷の極性とは逆の極性の電位を、画像を形成する用紙の表面に与え、感光ドラム１１の表面に静電的に付着したトナーを紙面上などの画像を形成する表面に転写する。
定着部１６は、画像を形成する用紙の表面に転写されたトナーを、加熱したローラーなどにより当該表面に押しつけて定着させる。クリーニング部１７は、トナーを転写した後に、感光ドラム１１の表面に残留したトナーを除去する。
【００２５】
（３）制御部の構成
Ｉ．全体構成
次に、制御部３の全体構成について、図２を用いて説明する。制御部３は、ＣＰＵ（Ｃｅｎｔｒａｌ  Ｐｒｏｃｅｓｓｉｎｇ  Ｕｎｉｔ）と、記憶装置（ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ））と、各種インターフェースなどを有するコンピュータシステムである。
制御部３は、中央制御部３１と、閾値設定部３２と、表示部３３と、を有する。中央制御部３１は、画像形成装置１００における各種情報処理を行う。中央制御部３１は、トナーカートリッジ１４中のトナーの残量（トナー残量）を算出する。また、中央制御部３１は、トナー残量に基づいて、表示部３３における表示画面の表示状態を決定する処理を行う。
【００２６】
閾値設定部３２は、表示画面（後述）の表示状態を変更するための基準となる閾値を設定する。閾値設定部３２は、ネットワークインターフェース３２１を有する。ネットワークインターフェース３２１は、ＬＡＮ（Ｌｏｃａｌ、Ａｒｅａ、Ｎｅｔｗｏｒｋ）などのネットワーク（有線であっても無線であってもよい）を介して接続された情報機器との通信を制御する。情報機器としては、例えば、パーソナルコンピュータＰＣなどがある。
これにより、閾値設定部３２は、情報機器において設定された閾値を受信できる。閾値設定部３２は、受信した閾値を記憶部３５（後述）などに記憶してもよい。
【００２７】
なお、ネットワークインターフェース３２１は、その他の情報を、接続された情報機器とやりとりできる。例えば、ネットワークインターフェース３２１に接続された情報機器から印刷したい画像を受信できる。また、画像形成装置１００を制御するための各種設定値を情報機器から受信するか、及び／又は情報機器へ送信できる。
閾値設定部３２は、操作部３２３を有する。操作部３２３は、例えば、キーなどの入力装置である。操作部３２３は、ユーザなどからの入力操作により閾値を設定する。閾値設定部３２は、操作部３２３の入力操作により設定された閾値を、記憶部３５に記憶してもよい。
【００２８】
上記のように、閾値設定部３２がネットワークインターフェース３２１と操作部３２３とを有することにより、外部の情報機器からも、画像形成装置１００を操作することによっても、閾値を任意の値に設定可能となる。
なお、閾値設定部３２は、ネットワークインターフェース３２１又は操作部３２３のいずれかのみを有していてもよい。
【００２９】
表示部３３は、例えば、ＬＣＤ（Ｌｉｑｕｉｄ  Ｃｒｙｓｔａｌ  Ｄｉｓｐｌａｙ）などの表示装置である。表示部３３は、中央制御部３１からの制御に基づいて、表示画面を表示する。表示画面は、画像形成装置１００を使用するユーザに対して、視覚的な情報を与える画面である。
表示画面としては、例えば、図４Ａ〜図４Ｅに示すような画面がある。図４Ａ〜図４Ｅに示す表示画面は、画像形成装置１００が動作待機中であることを視覚的に示す表示画面（待機画面と呼ぶ）である。図４Ａ〜図４Ｅに示す待機画面の例においては、画像形成装置１００にセットされている印刷用紙のサイズと、印刷用紙の残量と、画像を紙面上などに印刷するときの印刷条件などが表示されている。また、待機画面には、トナーカートリッジ１４に残留するトナー残量が表示される。
【００３０】
本実施形態において、表示画面におけるトナー残量の表示状態は、中央制御部３１にて算出されたトナー残量と閾値との比較に基づいて決定されている。トナー残量の表示状態が、トナー残量と閾値との比較に基づいてどのように決定されるかについては、後ほど詳しく説明する。
制御部３が上記の構成を有することにより、算出されたトナー残量と任意に設定可能である閾値との比較結果に基づいて、つまり、ユーザによる画像形成装置１００の使用形態に合わせて、トナー残量に関する通知を（待機画面上において）視覚的に行うタイミングを任意に調整できる。
【００３１】
制御部３は、ＦＰＧＡ３４を有する。ＦＰＧＡ３４は、ＦＰＧＡ（Ｆｉｅｌｄ  Ｐｒｏｇｒａｍｍａｂｌｅ  Ｇａｔｅ  Ａｒｒａｙ）と呼ばれる所定の機能をハードウェア的に実現したＩＣ（ＩｎｔｅｇｒａｔｅｄＣｉｒｃｕｉｔ）である。ＦＰＧＡ３４は、中央制御部３１から印刷動作の実行指令があったときに、中央制御部３１を介して入力した画像データに基づいて、露光部１３の露光量を制御する。
具体的には、ＦＰＧＡ３４は、例えば、ＬＰＨである露光部１３の対応するＬＥＤに、記憶部３５に記憶された画像データに示された画素情報に基づいて決定した露光時間を示すデータを出力する。これにより、当該対応するＬＥＤは、データに示された露光時間だけ点灯する。
【００３２】
制御部３が上記のＦＰＧＡ３４を有することにより、ユーザの指示に基づいて、画像形成部１を制御して所望の画像を紙面上などに印刷できる。なお、この実施の形態では、画像データは白黒２値のデータであるものとして説明する。
また、本実施形態において、ＦＰＧＡ３４は、画像データに示された画像を紙面上などに印刷した際に、画像データ中の黒のドット数（黒ドット数と呼ぶ）黒ドットを計数する。
【００３３】
画像形成装置１００において白黒疑似中間調データによる画像データを用いる場合には、単位面積あたりの黒ドットの数として、疑似的に中間調を再現する。
制御部３は、記憶部３５を有する。記憶部３５は、制御部３を構成するコンピュータシステムの記憶装置に対応する。記憶部３５は、各種情報を記憶する。例えば、記憶部３５は、ネットワークを介して接続された情報機器や画像取得部３６から取得した画像データを記憶する。また、記憶部３５は、閾値設定部３２により設定された閾値などの、画像形成装置１００を動作させるための設定値を記憶できる。
【００３４】
記憶部３５は、例えば、図４Ａ〜図４Ｅに示すような表示画面（待機画面）の表示データを記憶していてもよい。この場合、例えば、複数の表示画面の表示データを記憶しておき、閾値とトナー残量との比較に基づいて、読み出す表示データが選択されてもよい。これにより、閾値とトナー残量との比較に基づいて、表示部３３に表示される表示画面の表示状態を変化できる。
制御部３は、画像取得部３６を有する。画像取得部３６は、例えば、電話回線から画像データを受信するＦＡＸ機能部（図示せず）や、紙面上などに印刷された画像を読み込んで画像データとするスキャナユニット（図示せず）などにより構成される。
【００３５】
制御部３が上記の画像取得部３６を有することにより、画像形成装置１００を用いて印刷したい画像を電子データである画像データとして取得できる。
なお、画像取得部３６は、取得した画像データを記憶部３５に記憶してもよいし、受信した画像データを逐次、中央制御部３１を介して、ＦＰＧＡ３４へ出力してもよい。
なお、上記の制御部３において、操作部３２３は、キーなどの入力装置として表示部３３とは分離して構成されていた。しかし、これに限られない。制御部３において、操作部３２３と表示部３３とは、タッチパネル機能付きの表示装置として一体的に構成されていてもよい。
【００３６】
（４）中央制御部の構成
次に、制御部３の中央制御部３１の構成について、図２を用いて説明する。中央制御部３１の以下の構成要素の機能は、例えば、記憶部３５などに記憶されているコンピュータプログラムにより実現されている。
中央制御部３１は、トナー残量算出部３１１と、表示制御部３１３と、を有する。トナー残量算出部３１１は、トナーカートリッジ１４に残留するトナーの残量（トナー残量）を算出する。
【００３７】
トナー残量算出部３１１は、画像を印刷する印刷動作時に使用されたトナー量（使用トナー量）を、理論式などを用いて算出する。トナー残量算出部３１１は、上記の印刷動作前のトナー残量から、理論式などを用いて算出された使用トナー量を減算して、印刷動作後のトナー残量を算出できる。
本実施形態において、トナー残量算出部３１１は、例えば、ＦＰＧＡ３４において算出された黒ドット数に基づいて、トナー残量を算出できる。具体的には、例えば、トナー残量算出部３１１は、上記の黒ドット数と１ドットあたりに使用されるトナー量との積から、画像の印刷により使用された使用トナー量を算出する。次に、トナー残量算出部３１１は、印刷前のトナー残量（記憶部３５などに記憶されていてもよい）から、算出した使用トナー量を減算してトナー残量を算出できる。
【００３８】
上記のように、トナー残量算出部３１１が、理論式などを用いて算出された使用トナー量を用いてトナー残量を算出することにより、トナー残量を検出するセンサの取付位置や個数などの制限を受けることなく、任意のトナー残量を算出できる。
表示制御部３１３は、表示部３３における表示画面の表示状態を制御する。本実施形態において、表示制御部３１３は、トナー残量の算出値に基づいて、表示画面（例えば、待機状態における表示画面）の表示状態を決定する。
【００３９】
具体的には、表示制御部３１３は、トナー残量算出部３１１にて算出されたトナー残量と記憶部３５などに記憶された閾値とを比較する。その後、表示制御部３１３は、トナー残量が閾値以下であると判断した時に、待機画面においてトナー残量の値を「強調表示」する。一方、トナー残量が閾値よりも大きな値として算出されている場合には、表示制御部３１３は、待機画面においてトナー残量の値についての強調表示を行わない。
中央制御部３１が上記のトナー残量算出部３１１と表示制御部３１３とを有することにより、トナー残量を検出するセンサの取付位置や個数に制限されることなく、トナーカートリッジ１４のトナー残量がユーザにより設定された任意のトナー残量となったタイミングにおいて、トナー残量に関する視覚的な通知（本実施形態においては、トナー残量の強調表示）をするよう表示部３３を制御できる。
【００４０】
（５）画像形成装置の動作
以下、本実施形態に係る画像形成装置１００の動作について説明する。以下においては、画像形成装置１００においてトナー残量の閾値を設定する場合における動作と、画像形成装置１００において印刷を実行する場合における動作とを例にとって説明する。
【００４１】
（ｉ）トナー残量の閾値の設定動作
まず、画像形成装置１００において閾値を設定する場合の動作について図３Ａを用いて説明する。図３Ａは、画像形成装置１００の閾値の設定動作を示すフローチャートである。画像形成装置１００の表示部３３が待機画面を表示している状態で、操作部３２３で所定の操作がされると、制御部３は閾値設定モードに移行し、表示部３３に閾値設定画面を表示する（ステップＳ１１）。
【００４２】
ユーザは、閾値設定画面を見ながら操作部３２３を操作することにより、閾値を所望の値に設定することができる（ステップＳ１２）。設定された閾値は、記憶部３５に記憶される。ユーザは、画像形成装置１００の使用態様に適した閾値を設定できる。例えば、黒ドット数が多い（すなわち、紙面上における画像の黒率が高い）画像を印刷することが多いユーザや、印刷枚数が多いユーザなど、トナーを多く消費すると考えられるユーザは、閾値を大きめの値に設定できる。これにより、トナーを多く消費すると考えられるユーザは、トナーの残量を早めに強調表示し、新しいトナーカートリッジを準備しておくことができる。
【００４３】
一方、例えば、黒ドット数が少ない画像を印刷するユーザや、印刷枚数が少ないユーザなど、トナーをあまり使用しないと考えられるユーザは、トナー残量が比較的少なくなってから新しいトナーカートリッジを準備しても間に合うことが多い。このようなユーザは閾値を小さめの値に設定できる。
【００４４】
次に、制御部３は、ユーザによる閾値の設定が終了したかどうか判断する（ステップＳ１３）。例えば、ユーザが閾値設定後に閾値設定モードを終了するための操作をしたときに、ユーザによる閾値の設定が終了したと判断できる。
ユーザによる閾値の設定が終了していないと判断された場合（ステップＳ１３において「Ｎｏ」の場合）、閾値設定プロセスはＳ１２に戻る。これにより、ユーザによる閾値の設定が終了したと判断されるまで、閾値設定画面を表示部３３に表示できる。その結果、ユーザによる閾値の設定が終了したと判断されるまで、閾値の設定を継続できる。
【００４５】
一方、ユーザによる閾値の設定が終了したと判断された場合（ステップＳ１３において「Ｙｅｓ」の場合）、表示部３３の表示は待機画面に戻る。その際、表示制御部３１３は、設定された閾値とトナー残量とを比較する（ステップＳ１４）。トナー残量が閾値を上回ると判断された場合（ステップＳ１４において「Ｎｏ」の場合）、表示制御部３１３は、トナー残量を強調表示しない待機画面を表示部３３に表示する（ステップＳ１５）。一方、トナー残量が閾値以下であると判断された場合（ステップＳ１４において「Ｙｅｓ」の場合）、表示制御部３１３は、トナー残量を強調した待機画面を表示部３３に表示する（ステップＳ１６）。
【００４６】
上記のステップＳ１１〜Ｓ１６を実行することにより、本実施形態の画像形成装置１００においては、ユーザが閾値を所望の値に設定した時にトナー残量が閾値以下であれば、トナー残量が待機画面にて強調表示される。これにより、画像形成装置１００において印刷を実行することなく、トナー残量が閾値以下であるかどうかを確認できる。すなわち、印刷ジョブを開始する前に、トナー残量が閾値以下であるかどうか確認できる。
【００４７】
その結果、例えば、印刷ジョブ開始前の待機画面にトナー残量が強調表示されていることを視認したユーザは、印刷ジョブの開始を中止したり、印刷ジョブの開始前にトナーカートリッジを交換したりできる。
【００４８】
（ｉｉ）印刷動作
次に、画像形成装置１００の印刷動作について図３Ｂを用いて説明する。  図３Ｂは、画像形成装置の印刷動作を示すフローチャートである。操作部３２３からの操作により、または、ネットワークに接続されたＰＣからのデータの受信により、制御部３が印刷ジョブを開始する。印刷ジョブ（印刷動作）が開始されると、画像形成部１は、ジョブに含まれる１ページを印刷する（ステップＳ２１）。ジョブに含まれる１ページを印刷後、トナー残量算出部３１１は、ＦＰＧＡ３４から黒ドット数のカウント値を取り込み、トナー残量を算出する（ステップＳ２２）。
【００４９】
トナー残量を算出後、表示制御部３１３は、算出されたトナー残量と設定された閾値を比較する（ステップＳ２３）。表示制御部３１３がトナー残量が閾値以下であると判断した場合（ステップＳ２３において「Ｙｅｓ」の場合）、表示制御部３１３は、トナー残量を強調した待機画面を表示部３３に表示する（ステップＳ２４）。具体的には、表示制御部３１３は、記憶部３５に記憶された待機画面データからトナー残量を強調表示する待機画面データを選択し、当該待機画面データを表示部３３に出力する。これにより、表示部３３は、トナー残量が強調表示された待機画面を表示できる。
【００５０】
または、表示制御部３１３は、待機画面のトナー残量の表示領域の表示状態を強調表示状態にする信号を表示部３３に出力することによっても、トナー残量が強調表示された待機画面を表示できる。
【００５１】
一方、トナー残量が閾値よりも大きいと判断された場合（ステップＳ２３において「Ｎｏ」の場合）、表示制御部３１３は、トナー残量を強調表示しない待機画面を表示部３３に表示する（ステップＳ２５）。具体的には、表示制御部３１３は、トナー残量を強調表示しない待機画面データを表示部３３に出力する、及び／又は、トナー残量の表示領域の表示状態を強調表示しない状態にする信号を表示部３３に出力して、トナー残量が強調表示されていない待機画面を表示部３３に表示する。
なお、上記に説明した閾値を設定する動作においても、表示制御部３１３は、上記と同様にして待機画面の表示状態を制御（変更）する。
【００５２】
表示制御部３１３により待機画面のトナー残量の表示状態を決定後、制御部３は、印刷ジョブを終了するかどうかを判断する（ステップＳ２６）。例えば、全ページの印刷が終了するなどして、制御部３が画像形成部１の動作を停止すると判断した場合（ステップＳ２６において「Ｙｅｓ」の場合）、画像形成装置１００は動作停止処理などを実行後に待機状態に戻る。
【００５３】
一方、制御部３が印刷ジョブを継続すると判断した場合（ステップＳ２６において「Ｎｏ」の場合）、画像形成装置１００の動作プロセスはステップＳ２１に戻り、上記に説明したステップＳ２１〜Ｓ２６を、印刷ジョブを終了すると判断するまで実行する。
【００５４】
上記のように、印刷ジョブ開始時にトナー残量が閾値を上回っており、トナー残量を強調しない待機画面が表示されている状態であっても、印刷ジョブの実行中にトナー残量が閾値以下となれば、トナー残量を強調表示した待機画面が表示されることとなる。これにより、ユーザは表示部３３に表示されている画面をみることによりトナー残量が少なくなっていることを視覚的に認識しやすくする。
【００５５】
なお、上記に説明した画像形成装置１００の動作は、本発明の範囲を超えない範囲で処理方法を変更したり、上記のステップＳ１〜Ｓ８を入れ替えたりできる。
例えば、画像形成装置１００により実行されている動作により、待機画面にトナー残量を表示するかどうかを決定してもよい。例えば、印刷ジョブ実行中に（必要に応じて）トナー残量を待機画面に表示し、印刷ジョブ終了後にトナー残量の表示を停止してもよい。これにより、画像形成装置１００において実行中の動作に応じて、必要な場合にだけトナー残量を表示できる。
また、例えば、閾値設定部３２にて閾値を１００％と設定すると常にトナー残量を強調表示可能としてもよい。一方、閾値設定部３２にて閾値を０％と設定すると常にトナー残量を強調表示しないようにしてもよい。
【００５６】
（６）待機画面の表示例
次に、上記のステップＳ６においてトナー残量を待機画面に強調表示する場合の表示状態と、上記のステップＳ７においてトナー残量を待機画面に強調表示しない場合の表示状態のいくつかの例について説明する。
１つ目の例として、以下のような表示例がある。すなわち、図４Ａの（１）に示すように、トナー残量を強調表示しない場合にはトナー残量を待機画面に表示しない。一方、図４Ａの（２）に示すように、トナー残量を強調表示する場合にはトナー残量を表示する。
【００５７】
この場合、表示制御部３１３は、トナー残量と閾値との比較結果に基づいて、トナー残量を表示画面（待機画面）に表示するか又は表示しないかを決定している。これにより、トナー残量に関する通知を行いたいときに具体的なトナー残量を表示画面に表示できる。その一方、トナー残量に関する通知を行う必要がない場合には、トナー残量の表示が他の表示の邪魔にならない。
２つ目の例として、以下のような表示例がある。すなわち、図４Ｂの（１）に示すように、トナー残量を強調表示しない場合には他の表示（図４Ｂの（１）の例においては、メモリ残量）を表示する。一方、トナー残量を強調表示する場合にはトナー残量を表示する（図４Ｂの（２））。
【００５８】
この場合も、表示制御部３１３は、トナー残量と閾値との比較結果に基づいて、トナー残量を表示画面（待機画面）に表示するか又は表示しないかを決定している。これにより、トナー残量に関する通知を行いたいときに具体的なトナー残量を表示画面に表示できる。その一方、トナー残量に関する通知の優先度が高くないときには、他の情報を表示できる。
３つ目の例として、以下のような表示例がある。すなわち、図４Ｃの（１）に示すように、トナー残量を強調表示しない場合にはトナー残量を小さく表示する。一方、トナー残量を強調表示する場合にはトナー残量を大きく表示する（図４Ｃの（２））。
【００５９】
この場合、表示制御部３１３は、トナー残量と閾値との比較結果に基づいて、トナー残量の表示画面における表示面積を決定している。これにより、トナー残量に関する通知を行いたいときに視覚的に目立つようにトナー残量を表示できる。
４つ目の例として、以下の表示例がある。すなわち、図４Ｄ及び図４Ｅに示すように、トナー残量を強調表示しない場合には、第１の表示色にてトナー残量を表示する。一方、トナー残量を強調表示する場合には、第２の表示色にてトナー残量を表示する。
【００６０】
この場合、表示制御部３１３は、トナー残量と閾値との比較結果に基づいて、トナー残量の表示画面における表示色を決定している。
例えば、表示部３３にてカラー表示が可能である場合などには、トナー残量を強調表示しない場合には、視覚的に目立たない色を第１の表示色とする（図４Ｄの（１））。一方、トナー残量を強調表示する場合には、視覚的に目立つ色を第２の表示色とする（図４Ｄの（２））。
【００６１】
一方、表示部３３にてモノクロ表示がなされる場合などには、例えば、トナー残量を強調表示しない場合には、非反転した色を第１の表示色とする（図４Ｅの（１））。一方、トナー残量を強調表示する場合には、反転した色を第２の表示色とする（図４Ｅの（２））。言い換えると、トナー残量を強調表示する場合には、トナー残量を反転表示する。
上記のように、トナー残量を強調表示するかどうかにより表示色を異ならせることにより、トナー残量に関する通知を行いたいときに視覚的に目立つようにトナー残量を表示できる。
【００６２】
なお、上記の図４Ａ〜図４Ｅを用いて説明した待機画面の表示状態の例は、どのようにでも組み合わせることができる。例えば、トナー残量を強調表示しない場合には図４Ｂの（１）に示すように他の表示し、トナー残量を強調表示する場合には図４Ｅの（２）に示すようにトナー残量を反転して表示できる。これにより、トナー残量に関する通知をしない場合にはトナー残量を他の表示の邪魔にしないようにでき、トナー残量に関する通知をするときにはユーザの視覚にて認識しやすいようにトナー残量を表示できる。
また、他の表示方法によっても、トナー残量を強調表示したり、強調表示しないようにしたりできる。例えば、トナー残量を強調表示したい場合にトナー残量の表示を点滅表示してもよい。または、例えば、トナー残量に関して通知をしたい場合に表示画面全体の色を変化させてもよい。
【００６３】
（７）実施形態の作用効果
上記の第１実施形態の作用効果は、以下のように記載できる。
第１実施形態の画像形成装置（例えば、画像形成装置１００）は、画像形成部（例えば、画像形成部１）と、表示部（例えば、表示部３３）と、トナー残量算出部（例えば、トナー残量算出部３１１）と、閾値設定部（例えば、閾値設定部３２）と、表示制御部（例えば、表示制御部３１３）と、を備える。
画像形成部は、画像を印刷したい表面上にトナーを定着させることにより、当該画像を当該表面上に印刷する。トナーは、トナーカートリッジ（例えば、トナーカートリッジ１４）から供給される。表示部は、ユーザに視覚情報を与える表示画面を表示する。トナー残量算出部は、トナーカートリッジ中に残留するトナーのトナー残量を算出する。
閾値設定部は、閾値を設定する。閾値は、トナー残量が画像形成部により画像を表面上に形成するのに十分な量であるかどうかを決定する値である。表示制御部は、トナー残量と閾値との比較結果に基づいて、表示画面の表示状態を決定する。
【００６４】
第１実施形態の画像形成装置においては、閾値設定部において閾値が設定される（例えば、ステップＳ１）。その後、画像形成部により画像を印刷したい表面上に画像が形成された（印刷された）際（例えば、ステップＳ２、Ｓ３）に、トナー残量算出部が、トナーカートリッジに残っているトナーの量（すなわち、トナー残量）を算出する（例えば、ステップＳ４）。次に、表示制御部が、トナー残量算出部にて算出したトナー残量と閾値設定部にて設定された閾値とを比較した結果に基づいて、表示画面の表示状態を決定する（例えば、ステップＳ５〜Ｓ７）。この結果、表示部は、表示制御部により決定された表示状態にて表示画面を表示する。
第１実施形態の画像形成装置においては、トナー残量がトナー残量算出部により算出されている。これにより、従来のようにトナー残量センサの数で決まっていた検出の段階数の制約を無くして任意のトナー残量を検出できる。
【００６５】
また、第１実施形態の画像形成装置においては、現在のトナーの残量が画像を印刷するために十分な量であるかどうかを決定する閾値を、閾値設定部により任意に設定可能となっている。さらに、表示制御部が、トナー残量と閾値との比較結果に基づいて、表示部における表示画面の表示状態を決定している。これにより、ユーザによる画像形成装置の使用形態に合わせて、トナー残量に関する通知を視覚的に行うタイミングを任意に調整できる。
【００６６】
閾値設定部は、操作部（例えば、操作部３２３）を含んでいる。操作部は、入力操作により閾値を設定する。これにより、画像形成装置において入力操作により閾値を設定できる。
表示制御部は、トナー残量と閾値との比較結果に基づいて、トナー残量を表示画面に表示するか又は表示しないかを決定してもよい。これにより、トナー残量に関する通知を行いたいときに具体的なトナー残量を表示画面に表示できる。
【００６７】
表示制御部は、トナー残量と閾値との比較結果に基づいて、トナー残量の表示画面における表示面積を決定してもよい。これにより、トナー残量に関する通知を行いたいときに視覚的に目立つようにトナー残量を表示できる。
表示制御部は、トナー残量と閾値との比較結果に基づいて、トナー残量の表示画面における表示色を決定してもよい。これにより、トナー残量に関する通知を行いたいときに視覚的に目立つようにトナー残量を表示できる。
【００６８】
表示画面は、待機画面を含んでいる。待機画面は、動作待機中を視覚的に示す表示画面である。これにより、動作待機中であってもトナー残量に関する通知を視覚的に行える。
【００６９】
表示制御部は、現在実行中の動作に基づいて、表示画面にトナー残量を表示するかどうかを決定してもよい。これにより、画像形成装置において実行中の動作に応じて、必要な場合にトナー残量を表示できる。
【００７０】
（８）他の実施形態
以上、本発明の一実施形態について説明したが、本発明は上記実施形態に限定されるものではなく、発明の要旨を逸脱しない範囲で種々の変更が可能である。特に、本明細書に書かれた複数の実施形態及び変形例は必要に応じて任意に組み合せ可能である。
（Ａ）トナー残量の算出方法についての他の実施形態
上記の第１実施形態において、トナー残量算出部３１１は、ＦＰＧＡ３４において算出された黒ドット数に基づいて、トナー残量を算出していた。しかし、トナー残量の算出方法は、第１実施形態において説明した方法に限定されない。
例えば、トナーカートリッジ１４を交換してからの累積印刷枚数の算出値に基づいて、トナー残量を算出してもよい。具体的には、以下のようにして、トナー残量を算出できる。以下の例では、ｎ枚目の紙面上に画像が印刷された時のトナー残量ＴＲｎを算出する方法を説明する。
【００７１】
まず、トナーカートリッジ１４を交換してからｎ枚目の紙面上に画像を印刷したときの、累積印刷枚数ｌｐｎを、ｌｐｎ＝ｌｐｎ−１＋（ＣＲ／ｃｒ０）の式から算出する。ｌｐｎ−１は、ｎ−１枚目までの累積印刷枚数、ＣＲは実運用印字率、ｃｒ０は想定印字率である。
想定印字率ｃｒ０は、例えば、トナーカートリッジ１個あたりに印刷可能な平均的な印刷枚数である。実運用印字率ＣＲは、ユーザ毎の使用実績又は画像形成装置１００の使用実績毎に設定できる値である。つまり、実運用印字率ＣＲは、画像形成装置１００の使用形態（例えば、黒率の高い画像を多く印刷するなど）に基づいて設定される値である。
【００７２】
次に、ＴＲｎ（％）＝（ｐ−ｌｐｎ）／ｐとの式を用いて、トナー残量ＴＲｎを算出する。ｐは、想定印刷可能枚数と呼ばれるものであり、トナーカートリッジの種類に応じて想定される印刷枚数である。
上記の様はトナー残量の算出方法を用いても、センサなどを用いてトナー残量を検出することなく、ユーザや画像形成装置１００の使用形態に基づいて、トナー残量を算出できる。
【００７３】
（Ｂ）表示部の他の実施形態
上記の第１実施形態において、表示部３３は画像形成装置１００に備わる表示装置のみとしていた。しかし、これに限らず、外部の情報機器の表示装置においても、トナー残量と閾値との比較結果に基づいて、画像形成装置１００の操作画面などにおいてトナー残量に関する通知をするかどうかが決定されてもよい。これにより、外部の情報機器などから画像形成装置１００を操作しているユーザに対しても、必要に応じて、トナー残量に関する通知を行える。
【００７４】
（Ｃ）トナー残量算出部の他の実施形態
上記の第１実施形態において、トナー残量算出部３１１は、画像形成装置１００の制御部３にのみ備わっていた。しかし、これに限られず、ネットワークを介して接続された外部の情報機器に、トナー残量算出部３１１に対応する機能が備わっていてもよい。
例えば、外部の情報機器において画像形成装置１００を操作するソフトウェアに、トナー残量算出部３１１に対応する機能を組み込むことができる。
このとき、例えば、外部の情報機器から画像形成装置１００に対して印刷実行が指令された場合に、ネットワークを介して画像形成装置１００から黒ドット数を受信して、外部の情報機器のみにおいてトナー残量が算出されてもよい。この場合、算出されたトナー残量は、外部の情報機器からネットワークを介して画像形成装置１００に送信される。
これにより、画像形成装置１００の制御部３の計算負荷を低減できる。
【産業上の利用可能性】
【００７５】
本発明は、トナーカートリッジから供給されたトナーを、画像を印刷したい表面上に定着させることにより、当該表面上に画像を印刷する画像形成装置に広く適用できる。
【符号の説明】
【００７６】
１００ 画像形成装置
１     画像形成部
１１   感光ドラム
１２   帯電部
１３   露光部
１４   トナーカートリッジ
１５   転写部
１６   定着部
１７   クリーニング部
３     制御部
３１   中央制御部
３１１ トナー残量算出部
３１３ 表示制御部
３２   閾値設定部
３２１ ネットワークインターフェース
３２３ 操作部
３３   表示部
３４   ＦＰＧＡ
３５   記憶部
３６   画像取得部
ＰＣ   パーソナルコンピュータ
ＣＲ   実運用印字率
ＴＲｎ トナー残量
ｃｒ０ 想定印字率
ｌｐｎ−１、ｌｐｎ   累積印刷枚数
【図１】
2016114747.tif 000003
【図２】
2016114747.tif 000004
【図３Ａ】
2016114747.tif 000005
【図３Ｂ】
2016114747.tif 000006
【図４Ａ】
2016114747.tif 000007
【図４Ｂ】
2016114747.tif 000008
【図４Ｃ】
2016114747.tif 000009
【図４Ｄ】
2016114747.tif 000010
【図４Ｅ】
2016114747.tif 000011